(57)【特許請求の範囲】
【請求項１】
カムによって操作される部材をラッチボルトの側面に設けた溝部に係合させるように形成した扉錠において、
前記ラッチボルトを、異常な応力が作用した場合にのみ該ラッチボルトが切断する前に撓み変形する程度の強さの粘弾性係数の大なる素材により形成するとともに、該ラッチボルトの後端部に、ケース本体に規制された状態でその軸心を扉の面と平行な向きに保持することができる程度の長さの摺動部を設け、異常な応力が作用した場合にのみ該ラッチボルトが切断する前に撓み変形する程度の太さの伸展性に富んだ金属よりなる補強芯材を前記ラッチボルトの軸心部に摺動部からラッチ部に延びるように埋め込んだことを特徴とする扉錠。
【発明の詳細な説明】
【０００１】
【発明の属する技術分野】
本発明は扉錠に関し、より詳しくラッチボルトに特徴を有する扉錠に関する。
【０００２】
【従来の技術】
扉錠は、柱側に設けた受座の孔に係脱させるため、通常、ラッチボルトの側面に設けた溝部にスライド部材を係止し、このスライド部材を介してラッチボルトをレバーあるいはノブと一体のカムによって出没自在させるように構成されている。
【０００３】
このため、地震等によってラッチボルトａに異常な衝撃力が加わったり、あるいは扉を乱暴に開け閉めしてラッチボルトａに強い力が作用したような場合には、溝部に生じた応力集中によってこの部分からラッチボルトａが切断し、切断したラッチ部ｂが、図４に示したように、柱側の受座の孔ｃと扉側の前板開口部ｄの間に斜めに喰い付いてしまったり、あるいはラッチボルトａの外表面に長手方向と平行な向きにのり巻き状に被覆したラッチボルトカバーｅが合せ目から剥がれて受座の孔や前板の開口部ｄに引掛ってしまう結果、扉を開放することができなくなってしまうといった不都合が生じる。
【０００４】
【発明が解決しようとする課題】
本発明はこのような問題に鑑みてなされたもので、その目的とするところは、異常な応力を受けてラッチボルトが破断した場合にでも閉じ込めを可及的に防止できる扉錠を提供することにある。
【０００６】
【課題を解決するための手段】
すなわち、本発明はこのような課題を達成するための扉錠として、ラッチボルトを、異常な応力が作用した場合にのみ該ラッチボルトが切断する前に撓み変形する程度の強さの粘弾性係数の大なる素材により形成するとともに、該ラッチボルトの後端部に、ケース本体に規制された状態でその軸心を扉の面と平行な向きに保持することができる程度の長さの摺動部を設け、異常な応力が作用した場合にのみ該ラッチボルトが切断する前に撓み変形する程度の太さの伸展性に富んだ金属よりなる補強芯材を前記ラッチボルトの軸心部に摺動部からラッチ部に延びるように埋め込んだものである。
【０００７】
【発明の実施の形態】
そこで以下に本発明の実施例について説明する。
図１、図２はレバー式の扉錠として構成した本発明の第１の実施例について示したものである。
【０００８】
はじめに、この扉錠の全体構成について説明すると、図中符号１で示したケース本体には、その内奥のほぼ中央にバネ受け座２が設けられていて、ここには後述するラッチボルト１０がラッチバネ５によって前板３に設けた開口部４からラッチ部１１を突き出すように付勢された状態で出没自在に取付けられている。
【０００９】
一方、このラッチボルト１０を前板３の面から引込ませるためのスライド板６には、その直角に折曲げた前端面にラッチボルト１０の溝部１７と係合する係合部７が設けられており、また後端部には、図示しないレバーと一体的に回動するカム片９と当接して引込み方向に操作される被操作部８が斜め内向きに折り曲げ形成されている。
【００１０】
ところで、上述したラッチボルト１０は、先端にラッチ部１１を、後端に摺動部１８を備えた部材として、柔軟性かつ耐摩耗性に富んだナイロン系の樹脂材により一体的に形式されている。
【００１１】
このラッチボルト１０には、その軸心に、異常な応力が作用した場合にラッチボルト２０が切断する前に撓んでしまうような太さの伸展性に富んだ金属、例えば軟鉄のような金属よりなる補強芯１２が埋め込まれていて、ラッチ部１１に異常な衝撃力が作用して溝部１７に応力が集中したような場合でも、この応力集中を軸方向に分散させて撓むことによりラッチボルトが破断する事態を可能な限り防ぐように構成されている。
【００１２】
またこのラッチ部１１には、この部分の形状に合わせて軸方向に深絞り成形したラッチボルトカバー２０を被覆することによって当接部１４と摺接部１５にラッチボルトカバー２０の継ぎ目が生じないように形成され、さらにこのラッチボルトカバー２０は、ラッチ部１１に設けた段部１９にかしめ止めすることにより一体的に固定されている。
【００１３】
このラッチボルトカバー２０には、図２に示したように、その摺接面２１に切欠き孔２２が打抜き形成されていて、ここからラッチ部１１に設けた摺接凸部１６を突出させることにより、受座３０と接触した際の摩擦音を軽減させるように構成されている。
【００１４】
他方、スライド板６と係合する溝部１７を挟んでラッチ部１１の反対側に設けた摺動部１８は、図３に示したように、ケース本体１の内面に規制されてラッチボルト１０が扉の面方向に対して傾くことがないように可能な限り軸方向に長く形成され、かつ、ラッチ部１１の出没が円滑に行い得るよう円筒状に形成されていて、ケース本体１の内面との接触抵抗が可能な限り少なくなるように構成されている。
【００１５】
このように構成された扉錠は、図示しないレバーを回動操作することにより、これと一体的に回動するカム片９によりスライド板６を後退させ、ラッチ部１１を前板３から引込ませるようにして通常通りに扉を開放する。
【００１６】
また扉を閉止する場合には、柱側の受座３０に摺接面２１が摺接してラッチボルト１０が引込むことによりラッチ部１１が受座３０の孔３１に入り込んで扉を閉止することになるが、上述したように、このラッチ部１１を被覆しているラッチボルトカバー２０には、その摺接面２１に設けた切欠き孔２２からラッチ部１１の摺接凸部１６が突出しているため、ラッチ部１１は受部３０と摺接凸部１６と摺接することになって、扉を閉止する際に生じる摩擦音を可能な限り軽減することができる。
【００１７】
ところで、いま扉が閉止している状態のもとで地震が発生し、これに伴って受座３０の孔３１とラッチ部１１の背当部１４との間に強い衝撃力が作用したような場合、この衝撃力はラッチボルト１０に設けた溝部１７に応力集中として作用することになるが、上述したように、ラッチボルト１０の軸心部には、異常な応力が作用した場合にのみラッチボルト１０が破断する前に撓むような太さの伸展性に富んだ金属よりなる補強芯１２が挿入されているため、この衝撃力を受けたラッチボルト１０は、図３に示したように、その後端の摺動部１８をケース本体１の内面に規制された状態のもとでその軸心を扉の面と平行な向きに保ったまま、補強芯１２を撓ませてラッチ部１１のみを受座３０の縁に当てて大きく変形する。
【００１８】
しかもこの状態のもとで、ラッチボルトカバー２０は何ら損傷することがないから、つぎにこの状態のもとで扉を開けるには、レバーを強く回動しラッチ部１１を強引に引込ませるようにして受座３０から外せば、扉をなんとか開けることができるから、あとは、ラッチボルト１０か扉錠そのものを新しいものと交換すればよいことになる。
【００１９】
ところで、以上は、ラッチボルトの軸心部にこれが切断する前に撓んでしまう程度の太さの伸展性に富んだ金属よりなる補強芯を埋め込んだ実施例について説明したものであるが、ラッチボルト１０自体を粘弾性係数の大なる樹脂材等により形成して、異常な応力が作用した場合にのみラッチ部１１が切断する前にラッチボルト１０自体を変形させるように構成して、異常な事態が去った後にこのラッチボルト１０を受座３０の孔３１から抜き取るように構成することも可能である。
【００２０】
【発明の効果】
以上述べたように本発明によれば、地震等によって異常に大きな衝撃力を受けて溝部に応力集中が生じて破損した場合でも、レバーもしくはノブを強く回動操作することによってラッチボルトの軸心方向に埋め込まれた補強芯材により破損したラッチボルトを受座から抜き取ることができ、閉じ込めを防止できる。
【図面の簡単な説明】
【図１】（ａ）（ｂ）は本発明の一実施例をなす扉錠を断面で示した平面図と側面図である。
【図２】同上扉錠の要部を分解して示した斜視図である。
【図３】同上扉錠の破損状態を示した要部の説明図である。
【図４】従来の扉錠の破損状態を示した説明図である。
【符号の説明】
１  ケース本体
６  スライド板
９  カム片
１０  ラッチボルト
１１  ラッチ部
１２  補強芯
１６  摺動凸部
１７  溝部
２０  ラッチボルトカバー
【図１】
0004539946.tif 000002
【図２】
0004539946.tif 000003
【図３】
0004539946.tif 000004
【図４】
0004539946.tif 000005